(57)【要約】【課題】  耐火部材の数量を削減し、手間を省き、コストを低減しつつ、国際安全規格を満たす冷蔵庫を提供することにある。【解決手段】  冷蔵室３内には、０．２Ａ未満の電流が流れる庫内灯１１のみを配置する。冷蔵庫本体１の外側に設けられた電気部品収納箱３０内には、０．２Ａ以上の電流が流れる除霜制御部１５を配置している。このように、上記冷蔵室３内では、耐火部材は、不要になる。【選択図】  図２
2006220389.tif 000002
【特許請求の範囲】
【請求項１】
冷蔵室を有する冷蔵庫本体と、
上記冷蔵庫本体の外側に設けられると共に耐火性を有する電気部品収納箱と、
電源回路の電源側コネクタに部品側コネクタを介して接続される電気部品と
を備え、
上記冷蔵室内に配置されている上記電気部品および上記部品側コネクタは、０．２Ａ未満の電流が流れる上記電気部品および上記部品側コネクタである一方、
上記電気部品収納箱内に配置されている上記電気部品および上記部品側コネクタは、少なくとも、０．２Ａ以上の電流が流れる上記電気部品および上記部品側コネクタであることを特徴とする冷蔵庫。
【請求項２】
請求項１に記載の冷蔵庫において、
上記電気部品収納箱内に配置されている上記電気部品は、除霜制御部を含み、
この除霜制御部は、
時間を積算する除霜タイマと、
冷却運転と除霜運転とを切り替える除霜スイッチと
を有することを特徴とする冷蔵庫。
【請求項３】
請求項１に記載の冷蔵庫において、
上記冷蔵室内に配置されている上記電気部品は、庫内灯を含むことを特徴とする冷蔵庫。
【請求項４】
請求項１に記載の冷蔵庫において、
上記電気部品収納箱は、上記電気部品収納箱内に配置されている上記電気部品および上記部品側コネクタと共に、上記冷蔵庫本体から取り外し自在であることを特徴とする冷蔵庫。
【請求項５】
請求項１に記載の冷蔵庫において、
上記冷蔵庫本体は、背面に、凹部を有し、
上記電気部品収納箱は、上記冷蔵庫本体の凹部に、嵌め込まれていることを特徴とする冷蔵庫。
【発明の詳細な説明】
【技術分野】
【０００１】
この発明は、例えば、庫内灯や除霜制御部の電気部品を備える冷蔵庫に関する。
【背景技術】
【０００２】
従来より、冷蔵庫は、タイマの積算時間によって冷却運転と除霜運転とを切り替える除霜制御部を、冷蔵室内に設けている（特開平７−９８１７１号公報：特許文献１参照）。
【０００３】
上記除霜制御部は、除霜側コネクタを介して、電源回路（電源コード）の電源側コネクタに接続されている。上記電源側コネクタおよび上記除霜側コネクタが接続された状態で、上記電源側コネクタおよび上記除霜側コネクタ内に、上記除霜制御部と上記電源回路との電気的接続部を形成する。
【０００４】
そして、接続状態の上記電源側コネクタおよび上記除霜側コネクタは、上記冷蔵室内にある。この接続状態の上記電源側コネクタおよび上記除霜側コネクタには、一般的に、０．２Ａ以上の電流が流れている。ここで、耐火の安全上、ＩＥＣ（国際電気標準会議：International Electrotechnical Commission）の規格により、０．２Ａ以上の電流が流れる上記電源側コネクタおよび上記除霜側コネクタにおいて、上記電気的接続部から３ｍｍ以内には、耐火部材が必要である。
【０００５】
そして、上記冷蔵室内の他の部材が、上記電気的接続部から３ｍｍ内に進入することを防ぐために、接続状態の上記電源側コネクタおよび上記除霜側コネクタの各組の周囲を、それぞれ、難燃性クッション材および耐火性金属テープ等の他の耐火部材で覆っていた。
【０００６】
しかし、上記従来の冷蔵庫では、上記冷蔵室内において、接続状態の上記電源側コネクタおよび上記除霜側コネクタの各組を、それぞれ、他の耐火部材で覆っていたので、耐火部材の数量が多く、手間がかかり、コスト高であった。
【特許文献１】特開平７−９８１７１号公報
【発明の開示】
【発明が解決しようとする課題】
【０００７】
そこで、この発明の課題は、耐火部材の数量を削減し、手間を省き、コストを低減しつつ、国際安全規格を満たす冷蔵庫を提供することにある。
【課題を解決するための手段】
【０００８】
上記課題を解決するため、この発明の冷蔵庫は、
冷蔵室を有する冷蔵庫本体と、
上記冷蔵庫本体の外側に設けられると共に耐火性を有する電気部品収納箱と、
電源回路の電源側コネクタに部品側コネクタを介して接続される電気部品と
を備え、
上記冷蔵室内に配置されている上記電気部品および上記部品側コネクタは、０．２Ａ未満の電流が流れる上記電気部品および上記部品側コネクタである一方、
上記電気部品収納箱内に配置されている上記電気部品および上記部品側コネクタは、少なくとも、０．２Ａ以上の電流が流れる上記電気部品および上記部品側コネクタであることを特徴としている。
【０００９】
ここで、上記電源側コネクタおよび上記部品側コネクタが接続された状態で、上記電源側コネクタおよび上記部品側コネクタ内に、上記電気部品と上記電源回路との電気的接続部を形成する。
【００１０】
この発明の冷蔵庫によれば、０．２Ａ以上の電流が流れる上記電気部品および上記部品側コネクタは、上記冷蔵室の外側に配置されている。ここで、耐火の安全上、ＩＥＣ（国際電気標準会議：International Electrotechnical Commission）の規格により、０．２Ａ以上の電流が流れる上記電源側コネクタおよび上記部品側コネクタにおいて、上記電気的接続部から３ｍｍ以内には、耐火部材が必要である。
【００１１】
すなわち、上記冷蔵室内には、０．２Ａ以上の電流が流れる上記部品側コネクタがないので、上記冷蔵室内では、他の部材が、上記電気的接続部から３ｍｍ以内に進入することを防ぐ必要がない。要するに、上記冷蔵室内では、互いに接続されている上記電源側コネクタおよび上記部品側コネクタを覆う他の耐火部材は、不要になる。
【００１２】
また、上記電気部品収納箱内には、０．２Ａ以上の電流が流れる上記部品側コネクタを配置しているので、上記電気部品収納箱によって、接続状態の上記電源側コネクタおよび上記部品側コネクタの複数組を一括して覆うことができて、上記電気部品収納箱によって、上記電源側コネクタおよび上記部品側コネクタの発火時の類焼防止を図ることができる。このように、上記電気部品収納箱内では、接続状態の上記電源側コネクタおよび上記部品側コネクタの各組の周囲を、それぞれ、他の耐火部材で覆う必要がなくて、手間とコストを省くことができる。
【００１３】
また、一実施形態の冷蔵庫では、
上記電気部品収納箱内に配置されている上記電気部品は、除霜制御部を含み、
この除霜制御部は、
時間を積算する除霜タイマと、
冷却運転と除霜運転とを切り替える除霜スイッチと
を有する。
【００１４】
この一実施形態の冷蔵庫によれば、従来では上記冷蔵室内にあった上記除霜制御部を、上記電気部品収納箱内に移動しているので、上記除霜制御部と上記電源回路とを接続する上記部品側コネクタおよび上記電源側コネクタの周囲を、他の耐火部材によって覆う必要がなくなって、手間とコストを省くことができる。また、使用開始の据付け設置後も、保守や点検時に、上記除霜タイマの動作（例えば、同期モータの回転）を容易に確認できる。
【００１５】
また、一実施形態の冷蔵庫では、上記冷蔵室内に配置されている上記電気部品は、庫内灯を含む。
【００１６】
この一実施形態の冷蔵庫によれば、上記庫内灯は、従来から、上記冷蔵室内に配置されているので、上記庫内灯を上記冷蔵室内に新たに設ける必要がない。当然に、上記庫内灯と上記電源回路とを接続する上記部品側コネクタおよび上記電源側コネクタの周囲を、他の耐火部材によって覆う必要がない。
【００１７】
また、一実施形態の冷蔵庫では、上記電気部品収納箱は、上記電気部品収納箱内に配置されている上記電気部品および上記部品側コネクタと共に、上記冷蔵庫本体から取り外し自在である。
【００１８】
この一実施形態の冷蔵庫によれば、上記電気部品収納箱内の上記電気部品および上記部品側コネクタは、上記電気部品収納箱に一体に組み込まれており、上記電気部品収納箱内の上記電気部品が故障した場合、上記電気部品収納箱を取り外すことで、上記電気部品を同時に取り外すことができ、正常な電気部品への交換が容易になる。
【００１９】
また、一実施形態の冷蔵庫では、
上記冷蔵庫本体は、背面に、凹部を有し、
上記電気部品収納箱は、上記冷蔵庫本体の凹部に、嵌め込まれている。
【００２０】
この一実施形態の冷蔵庫によれば、上記電気部品収納箱は、上記冷蔵庫本体の凹部に、嵌め込まれているので、上記電気部品収納箱を上記冷蔵庫本体に取り付けた状態で、上記冷蔵庫の背面側の形状を略平坦にできる。このように、上記冷蔵庫を設置したときの上記冷蔵庫の背面側のデッドスペースを小さくできる。
【発明の効果】
【００２１】
この発明の冷蔵庫によれば、上記冷蔵室内には、０．２Ａ未満の電流が流れる上記電気部品および上記部品側コネクタを配置する一方、上記電気部品収納箱内には、少なくとも、０．２Ａ以上の電流が流れる上記電気部品および上記部品側コネクタを配置しているので、耐火部材の数量を削減し、手間を省き、コストを低減しつつ、国際安全規格を満たすことができる。
【発明を実施するための最良の形態】
【００２２】
以下、この発明を図示の実施の形態により詳細に説明する。
【００２３】
（第１の実施形態）
図１は、この発明の端子接続構造体を適用した冷蔵庫の一実施形態である正面図を示している。図２は、この冷蔵庫の側面断面図を示している。図３は、この冷蔵庫の回路図を示す。
【００２４】
図１と図２に示すように、この冷蔵庫は、冷凍室２および冷蔵室３を有する冷蔵庫本体１と、この冷蔵庫本体１の冷凍室２に取り付けられた冷凍室扉５と、この冷蔵庫本体１の冷蔵室３に取り付けられた冷蔵室扉６とを備える。
【００２５】
上記冷凍室２と上記冷蔵室３とは、仕切り壁４によって区切られている。この仕切り壁４には、上記冷蔵室扉６の開閉により動作するドアスイッチ１３が取り付けられている。
【００２６】
上記冷凍室２の後方奥側には、取付板２２が設けられ、この取付板２２の後面には、冷却循環用のファンモータ(冷却用ファンモータ)８と、このファンモータ８の下方に配置された冷却器９とが、取り付けられている。上記冷却器９の下部には、霜取り用の除霜ヒータ(電気ヒータ)１４が設置されている。
【００２７】
上記冷蔵庫本体１の外側には、耐火性を有する電気部品収納箱３０が設けられている。すなわち、上記電気部品収納箱３０は、上記冷蔵庫本体１の外側の取付部材１７に、取り付けられている。上記電気部品収納箱３０内には、除霜制御部１５が配置されている。
【００２８】
図１、図２および図３に示すように、上記除霜制御部１５は、時間を積算する除霜タイマ１５ａと、冷却運転と除霜運転とを切り替える除霜スイッチ１５ｂとを有する。
【００２９】
そして、上記除霜タイマ１５ａの積算時間により、上記除霜スイッチ１５ｂの接点が切り替わって、冷却回路から除霜回路に通電制御されて、上記除霜ヒータ１４は、発熱を始める。
【００３０】
上記除霜ヒータ１４は、温度を上昇して、上記冷却器９の霜と氷を融解させると、上記冷却器９の上部に配置された除霜サーモスタット１６により、温度を検知されて、上記除霜ヒータ１４の発熱を停止する。その後、上記除霜スイッチ１５ｂの接点が、再び、除霜回路から冷却回路に切り替わって、通常の冷却運転を始める。
【００３１】
上記冷蔵室３の後方奥側の内面には、カバー部材２３が設けられ、このカバー部材２３の内部に、庫内照明用の庫内灯１１が庫内灯係止器具１０にて設置されている。
【００３２】
上記冷蔵庫本体１の背面には、冷媒圧縮用の圧縮機(冷却用圧縮電動機)１２が設置されている。この圧縮機１２は、上記冷凍室２の内部に設置されたサーモスタット７の温度検知によって、このサーモスタット７の電気接点で、ＯＮ／ＯＦＦを断続運転して、庫内を一定温度に保つ。
【００３３】
図３に示すように、この冷蔵庫の電源回路は、冷却回路と除霜回路とを有する。なお、上記冷却回路と上記除霜回路とは、同時に、電流が流れない。
【００３４】
上記冷却回路において、上記圧縮機１２の動作電流は、２３０Ｖ定格電圧にて、約１．２Ａとなる。すなわち、上記サーモスタット７および上記除霜制御部１５を経由して、電源から上記圧縮機１２までの冷却回路が形成され、冷却時には、約１．２Ａの電流が流れる。すなわち、上記冷却回路には、０．２Ａ以上の電流が流れる。
【００３５】
上記除霜回路において、上記除霜ヒータ１４の動作電流は、２３０Ｖ定格電圧にて、約０．６Ａとなる。すなわち、上記除霜ヒータ１４および上記除霜制御部１５を経由して、電源から上記除霜ヒータ１４までの除霜回路が形成され、除霜時には、約０．６Ａの電流が流れる。すなわち、上記除霜回路には、０．２Ａ以上の電流が流れる。
【００３６】
上記庫内灯１１の動作電流は、２３０Ｖ定格電圧にて、約０．０５Ａとなる。すなわち、上記庫内灯１１には、０．２Ａ未満の電流が流れる。
【００３７】
具体的に述べると、上記サーモスタット７、上記ファンモータ８、上記冷却器９、上記庫内灯１１、上記圧縮機１２、上記ドアスイッチ１３、上記除霜ヒータ１４、上記除霜制御部１５または上記除霜サーモスタット１６等の電気部品は、部品側コネクタを介して、電源回路（電源コード）の電源側コネクタに接続される。
【００３８】
ここで、上記電源側コネクタおよび上記部品側コネクタが接続された状態で、上記電源側コネクタおよび上記部品側コネクタ内に、上記電気部品と上記電源回路との電気的接続部を形成する。
【００３９】
そして、耐火の安全上、ＩＥＣ（国際電気標準会議：International Electrotechnical Commission）の規格により、０．２Ａ以上の電流が流れる上記電源側コネクタおよび上記部品側コネクタにおいて、上記電気的接続部から３ｍｍ以内には、耐火部材が必要である。
【００４０】
上記冷蔵室３内に配置されている上記電気部品および上記部品側コネクタは、０．２Ａ未満の電流が流れる上記庫内灯１１および庫内灯側コネクタである。
【００４１】
このように、上記冷蔵室３内では、他の部材が、上記電気的接続部から３ｍｍ以内に進入することを防ぐ必要がない。すなわち、上記庫内灯１１と上記電源回路とを接続する上記庫内灯側コネクタおよび上記電源側コネクタの周囲を、他の耐火部材によって覆う必要がない。要するに、上記冷蔵室３内では、互いに接続されている上記電源側コネクタおよび上記部品側コネクタを覆う他の耐火部材は、不要になる。
【００４２】
なお、上記冷蔵室３内には、上記庫内灯１１および上記庫内灯側コネクタ以外の電気部品および部品側コネクタを配置してもよいが、上記電気部品および上記部品側コネクタは、０．２Ａ未満の電流が流れる電気部品および部品側コネクタに限定される。
【００４３】
一方、上記電気部品収納箱３０内に配置されている上記電気部品および上記部品側コネクタは、０．２Ａ以上の電流が流れる上記除霜制御部１５および除霜制御部側コネクタである。
【００４４】
具体的に述べると、図４の断面図に示すように、上記除霜制御部１５および上記除霜制御部側コネクタ１８は、上記電気部品収納箱３０内に、一体に組み込まれている。そして、上記電源側コネクタ１９は、上記電気部品収納箱３０内で、上記除霜制御部側コネクタ１８に接続される。
【００４５】
上記電気部品収納箱３０、上記除霜制御部側コネクタ１８および上記電源側コネクタ１９は、例えば、耐火樹脂の材料からなる。この耐火樹脂の材料は、例えば、ＩＥＣの規格を満たす材料であって、グローワイヤ燃焼性指数(GWFI:grow-wire flammability index)８５０℃及びグローワイヤ着火温度(GWIT:grow-wire igntion temperature)７７５℃に適合する材料である。
【００４６】
なお、図示しないが、上記電気部品収納箱３０には、上記除霜制御部１５以外に、電子基板、運転コンデンサ、電源コードの機内接続部、および、上記電気部品の接続電線等を収納してもよい。
【００４７】
要するに、上記電気部品収納箱３０内には、上記除霜制御部１５以外に、０．２Ａ以上の電流が流れる他の上記電気部品および他の上記部品側コネクタを配置してもよい。また、上記電気部品収納箱３０内には、上記除霜制御部１５以外に、０．２Ａ未満の電流が流れる電気部品および部品側コネクタを配置してもよい。
【００４８】
このように、上記電気部品収納箱３０内には、０．２Ａ以上の電流が流れる上記部品側コネクタ（例えば、上記除霜制御部側コネクタ１８）を配置しているので、上記電気部品収納箱３０によって、接続状態の上記電源側コネクタおよび上記部品側コネクタの複数組を一括して覆うことができて、上記電気部品収納箱３０によって、上記電源側コネクタおよび上記部品側コネクタの発火時の類焼防止を図ることができる。
【００４９】
したがって、上記電気部品収納箱３０内では、接続状態の上記電源側コネクタおよび上記部品側コネクタの各組の周囲を、それぞれ、他の耐火部材で覆う必要がなくて、手間とコストを省くことができる。
【００５０】
また、従来では上記冷蔵室３内にあった上記除霜制御部１５を、上記電気部品収納箱３０内に移動しているので、上記除霜制御部１５と上記電源回路とを接続する上記除霜制御部側コネクタ１８および上記電源側コネクタ１９の周囲を、他の耐火部材によって覆う必要がなくなって、手間とコストを省くことができる。また、使用開始の据付け設置後も、保守や点検時に、上記除霜タイマ１５ａの動作（例えば、同期モータの回転）を容易に確認できる。
【００５１】
また、上記電気部品収納箱３０は、上記電気部品収納箱３０内に配置されている上記電気部品および上記部品側コネクタと共に、上記冷蔵庫本体１から取り外し自在である。
【００５２】
このように、上記電気部品収納箱３０内の上記電気部品および上記部品側コネクタは、上記電気部品収納箱３０に一体に組み込まれており、上記電気部品収納箱３０内の上記電気部品が故障した場合、上記電気部品収納箱３０を取り外すことで、上記電気部品を同時に取り外すことができ、正常な電気部品への交換が容易になる。
【００５３】
なお、上記電気部品収納箱３０を上記冷蔵庫本体１から取り外しできないように固定してもよい。この場合、上記電気部品収納箱３０内に配置されている上記電気部品および上記部品側コネクタを、上記電気部品収納箱３０から取り外し可能にすればよい。
【００５４】
（第２の実施形態）
図５は、この発明の冷蔵庫の第２の実施形態を示している。上記第１の実施形態と相違する点を説明すると、この第２の実施形態では、上記冷蔵庫本体１は、背面に、凹部１ａを有し、上記電気部品収納箱３０は、上記冷蔵庫本体１の凹部１ａに、嵌め込まれている。
【００５５】
このように、上記電気部品収納箱３０は、上記冷蔵庫本体１の凹部１ａに、嵌め込まれているので、上記電気部品収納箱３０を上記冷蔵庫本体１に取り付けた状態で、上記冷蔵庫の背面側の形状を略平坦にできる。つまり、上記冷蔵庫を設置したときの上記冷蔵庫の背面側のデッドスペースを小さくできる。
【００５６】
なお、上記電気部品収納箱３０は、上記冷蔵庫本体１の凹部１ａから取り外し自在であってもよく、または、上記電気部品収納箱３０は、上記冷蔵庫本体１の凹部１ａから取り外しできないように固定されていてもよい。
【図面の簡単な説明】
【００５７】
【図１】本発明の冷蔵庫の一実施形態を示す正面図である。
【図２】冷蔵庫の側面断面図である。
【図３】冷蔵庫の回路図である。
【図４】要部の拡大断面図である。
【図５】本発明の冷蔵庫の他の実施形態を示す側面図である。
【符号の説明】
【００５８】
１    冷蔵庫本体
１ａ    凹部
２    冷凍室
３    冷蔵室
７    サーモスタット
８    ファンモータ
９    冷却器
１１    庫内灯
１２    圧縮機
１３    ドアスイッチ
１４    除霜ヒータ
１５    除霜制御部
１５ａ    除霜タイマ
１５ｂ    除霜スイッチ
１６    除霜サーモスタット
１８    除霜制御部側コネクタ（部品側コネクタ）
１９    電源側コネクタ
３０    電気部品収納箱
【図１】
2006220389.tif 000003
【図２】
2006220389.tif 000004
【図３】
2006220389.tif 000005
【図４】
2006220389.tif 000006
【図５】
2006220389.tif 000007